(57)【要約】【課題】発信者がＩＰ電話ゲートウェイ装置が既存電話網に接続されているか否かを容易に判断することが可能なＩＰ電話ゲートウェイ装置を提供すること。【解決手段】既存電話網接続検出回路１６は、ＩＰ電話ゲートウェイ装置が既存電話網に接続されているか否かを検出する。ＳＬＩＣ１４または１５が電話機のオフフックを検出し、既存電話網を介して発信するときに、既存電話網接続検出回路１６によって既存電話網に接続されていないと判定された場合には、ＣＰＵ１１はＳＬＩＣ１４または１５を制御してビジー音を電話機に送出する。したがって、発信者が、ＩＰ電話ゲートウェイ装置が既存電話網に接続されているか否かを容易に判断することが可能となる。【選択図】        図２
2004193748.tif 000002
【特許請求の範囲】
【請求項１】
ＩＰ電話網および既存電話網のいずれかを選択して接続するＩＰ電話ゲートウェイ装置であって、
ＩＰ電話網に接続するのか、既存電話網に接続するのかを判定するための第１の判定手段と、
前記ＩＰ電話ゲートウェイ装置が既存電話網に接続されているか否かを判定するための第２の判定手段と、
電話機のオフフックを検出したときに、前記第１の判定手段によって既存電話網に接続すると判定され、前記第２の判定手段によって既存電話網に接続されていないと判定された場合には、発信者に既存電話網に接続されていないことを通知するための通知手段とを含む、ＩＰ電話ゲートウェイ装置。
【請求項２】
前記通知手段は、ビジー音を送出することによって前記ＩＰ電話ゲートウェイ装置が既存電話網に接続されているか否かを通知する、請求項１記載のＩＰ電話ゲートウェイ装置。
【請求項３】
ＩＰ電話網および既存電話網のいずれかを選択して接続するＩＰ電話ゲートウェイ装置であって、
ＩＰ電話網に接続するのか、既存電話網に接続すのかを判定するための第１の判定手段と、
前記ＩＰ電話ゲートウェイ装置が既存電話網に接続されているか否かを判定するための第２の判定手段と、
電話機のオフフックを検出したときに、前記第１の判定手段によって既存電話網に接続すると判定され、前記第２の判定手段によって既存電話網に接続されていないと判定された場合には、ＩＰ電話網に接続して発信を行なうための発信手段とを含む、ＩＰ電話ゲートウェイ装置。
【請求項４】
前記第２の判定手段は、交換機がオフフックとして検出できない程度の時間だけループ閉成を行ない、電流が流れるか否かによって前記ＩＰ電話ゲートウェイ装置が既存電話網に接続されているか否かを判定する、請求項１〜３のいずれかに記載のＩＰ電話ゲートウェイ装置。
【請求項５】
前記第２の判定手段は、前記ＩＰ電話ゲートウェイ装置が既存電話網に接続されているか否かを所定時間毎に検出し、既存電話網に接続されていないと判定した場合には発信者に報知する、請求項１〜４のいずれかに記載のＩＰ電話ゲートウェイ装置。
【請求項６】
既存電話網に接続されていない場合のＩＰ電話ゲートウェイ装置の処理方法であって、
電話機のオフフックを検出したときに、前記既存電話網に接続するか否かを判定するステップと、
前記ＩＰ電話ゲートウェイ装置が既存電話網に接続されているか否かを判定するステップと、
既存電話網に接続すると判定され、かつ前記ＩＰ電話ゲートウェイ装置が既存電話網に接続されていないと判定された場合には、発信者に既存電話網に接続されていないことを通知するステップとを含む、ＩＰ電話ゲートウェイ装置の処理方法。
【請求項７】
既存電話網に接続されていない場合のＩＰ電話ゲートウェイ装置の処理方法であって、
電話機のオフフックを検出したときに、前記既存電話網に接続するか否かを判定するステップと、
前記ＩＰ電話ゲートウェイ装置が既存電話網に接続されているか否かを判定するステップと、
既存電話網に接続すると判定され、かつ前記ＩＰ電話ゲートウェイ装置が既存電話網に接続されていないと判定された場合には、ＩＰ電話網に接続して発信を行なうステップとを含む、ＩＰ電話ゲートウェイ装置の処理方法。
【発明の詳細な説明】
【０００１】
【発明の属する技術分野】
本発明は、ＩＰ（Ｉｎｔｅｒｎｅｔ  Ｐｒｏｔｏｃｏｌ）電話網および既存電話網のいずれかを選択して接続可能なＩＰ電話ゲートウェイ装置に関し、特に、ＩＰ電話ゲートウェイ装置が既存電話網に接続されていない場合に発生する不具合を防止したＩＰ電話ゲートウェイ装置およびその処理方法に関する。
【０００２】
【従来の技術】
近年、ブロードバンド回線などによるインターネット利用が広く普及し、インターネットプロトコルを利用したＩＰ電話が盛んに開発されるようになってきている。一般に、電話機をＩＰ電話網に接続するＩＰ電話ゲートウェイ装置は、発信者が入力する電話番号に応じて、経由する発信網をＩＰ電話網にするか、既存電話網にするかを決定する。これに関連する技術として、特許公表２００２−５２４９７７号公報に開示された発明がある。
【０００３】
特許公表２００２−５２４９７７号公報に開示されたシステムは、ＶｏＩＰ（Ｖｏｉｃｅ  Ｏｖｅｒ  Ｉｎｔｅｒｎｅｔ  Ｐｒｏｔｏｃｏｌ）方式の電話通話およびＰＳＴＮ（Ｐｕｂｌｉｃ  Ｓｗｉｔｃｈｅｄ  Ｔｅｌｅｐｈｏｎｅ  Ｎｅｔｗｏｒｋ）方式の電話通話を発呼および受信するために電話を利用する。電話とのオフフック状態が検出され、電話によって生成された信号のシーケンスが受信される。
【０００４】
システムがＶｏＩＰ方式の通話を表す所定の信号を検出することを試みる間、電話によって生成された少なくとも第１信号はバッファされる。上記所定の信号の検出時に、システムはバッファされた少なくとも第１信号を除くシーケンス内の以降の信号を傍受し、ＶｏＩＰ方式の通話をインターネットを介して発呼する。それ以外の場合には、システムは、ＰＳＴＮを介してＰＳＴＮ方式の通話を発呼する。
【０００５】
【特許文献１】
特許公表２００２−５２４９７７号公報
【０００６】
【発明が解決しようとする課題】
上述した従来のシステムにおいて、ＩＰ電話ゲートウェイ装置が既存電話網（ＰＳＴＮ網）と接続されていないときに、発信者の電話番号入力によって既存電話網を経由する発信が選択された場合には、既存電話網に接続されているか否かにかかわらず、既存電話網への発信処理を行なっていた。そのため、電話番号の入力後に受話器からトーンなどが聞こえないため、無音の状態になる。このとき、発信者は、交換機などで障害が発生しているのか、単に接続に時間を要しているのかの区別ができず、操作性が悪いといった問題点があった。
【０００７】
本発明は、上記問題点を解決するためになされたものであり、第１の目的は、発信者が、ＩＰ電話ゲートウェイ装置が既存電話網に接続されているか否かを容易に判断することが可能なＩＰ電話ゲートウェイ装置およびその処理方法を提供することである。
【０００８】
第２の目的は、発信者の操作性を向上させたＩＰ電話ゲートウェイ装置およびその処理方法を提供することである。
【０００９】
【課題を解決するための手段】
請求項１に記載のＩＰ電話ゲートウェイ装置は、ＩＰ電話網および既存電話網のいずれかを選択して接続するＩＰ電話ゲートウェイ装置であって、ＩＰ電話網に接続するのか、既存電話網に接続するのかを判定するための第１の判定手段と、ＩＰ電話ゲートウェイ装置が既存電話網に接続されているか否かを判定するための第２の判定手段と、電話機のオフフックを検出したときに、第１の判定手段によって既存電話網に接続すると判定され、第２の判定手段によって既存電話網に接続されていないと判定された場合には、発信者に既存電話網に接続されていないことを通知するための通知手段とを含む。
【００１０】
したがって、発信者が、ＩＰ電話ゲートウェイ装置が既存電話網に接続されているか否かを容易に判断することが可能となる。
【００１１】
請求項２に記載のＩＰ電話ゲートウェイ装置は、請求項１記載のＩＰ電話ゲートウェイ装置であって、通知手段は、ビジー音を送出することによってＩＰ電話ゲートウェイ装置が既存電話網に接続されているか否かを通知する。
【００１２】
したがって、発信者は、受話器からビジー音が聞こえれば、ＩＰ電話ゲートウェイ装置が既存電話網に接続されていないと判断することが可能となる。
【００１３】
請求項３に記載のＩＰ電話ゲートウェイ装置は、ＩＰ電話網および既存電話網のいずれかを選択して接続するＩＰ電話ゲートウェイ装置であって、ＩＰ電話網に接続するのか、既存電話網に接続すのかを判定するための第１の判定手段と、ＩＰ電話ゲートウェイ装置が既存電話網に接続されているか否かを判定するための第２の判定手段と、電話機のオフフックを検出したときに、第１の判定手段によって既存電話網に接続すると判定され、第２の判定手段によって既存電話網に接続されていないと判定された場合には、ＩＰ電話網に接続して発信を行なうための発信手段とを含む。
【００１４】
したがって、発信者は、ＩＰ電話網を介して通話が行なえるようになり、発信者の操作性を向上させることが可能となる。
【００１５】
請求項４に記載のＩＰ電話ゲートウェイ装置は、請求項１〜３のいずれかに記載のＩＰ電話ゲートウェイ装置であって、第２の判定手段は、交換機がオフフックとして検出できない程度の時間だけループ閉成を行ない、電流が流れるか否かによってＩＰ電話ゲートウェイ装置が既存電話網に接続されているか否かを判定する。
【００１６】
したがって、交換機内において不具合が発生することを防止することが可能となる。
【００１７】
請求項５に記載のＩＰ電話ゲートウェイ装置は、請求項１〜４のいずれかに記載のＩＰ電話ゲートウェイ装置であって、第２の判定手段は、ＩＰ電話ゲートウェイ装置が既存電話網に接続されているか否かを所定時間毎に検出し、既存電話網に接続されていないと判定した場合には発信者に報知する。
【００１８】
したがって、発信者は、電話機をオフフックする前にＩＰ電話ゲートウェイ装置が既存電話網に接続されているか否かを判断することができ、発信者の操作性を向上させることが可能となる。
【００１９】
請求項６に記載のＩＰ電話ゲートウェイ装置の処理方法は、既存電話網に接続されていない場合のＩＰ電話ゲートウェイ装置の処理方法であって、電話機のオフフックを検出したときに、既存電話網に接続するか否かを判定するステップと、ＩＰ電話ゲートウェイ装置が既存電話網に接続されているか否かを判定するステップと、既存電話網に接続すると判定され、かつＩＰ電話ゲートウェイ装置が既存電話網に接続されていないと判定された場合には、発信者に既存電話網に接続されていないことを通知するステップとを含む。
【００２０】
したがって、発信者が、ＩＰ電話ゲートウェイ装置が既存電話網に接続されているか否かを容易に判断することが可能となる。
【００２１】
請求項７に記載のＩＰ電話ゲートウェイ装置の処理方法は、既存電話網に接続されていない場合のＩＰ電話ゲートウェイ装置の処理方法であって、電話機のオフフックを検出したときに、既存電話網に接続するか否かを判定するステップと、ＩＰ電話ゲートウェイ装置が既存電話網に接続されているか否かを判定するステップと、既存電話網に接続すると判定され、かつＩＰ電話ゲートウェイ装置が既存電話網に接続されていないと判定された場合には、ＩＰ電話網に接続して発信を行なうステップとを含む。
【００２２】
したがって、発信者は、ＩＰ電話網を介して通話が行なえるようになり、発信者の操作性を向上させることが可能となる。
【００２３】
【発明の実施の形態】
図１は、本発明の実施の形態におけるＩＰ電話ゲートウェイ装置の接続例を示す図である。ＩＰ電話ゲートウェイ装置１は、ＰＯＴＳ（Ｐｌａｎｅ  Ｏｌｄ  Ｔｅｌｅｐｈｏｎｅ  Ｓｙｓｔｅｍ）インタフェースを介して電話機３および４に接続される。また、ＩＰ電話ゲートウェイ装置１は、スプリッタ２を介して電話回線と接続される。
【００２４】
スプリッタ２は、電話回線からの信号を、ＡＤＳＬ（Ａｓｙｍｍｅｔｒｉｃ  Ｄｉｇｉｔａｌ  Ｓｕｂｓｃｒｉｂｅｒ  Ｌｉｎｅ）用の信号とアナログ電話用の信号に分離してＩＰ電話ゲートウェイ装置に入力する。また、スプリッタ２は、ＩＰ電話ゲートウェイ装置１からのＡＤＳＬ用の信号とアナログ電話用の信号とを結合して電話回線に出力する。
【００２５】
図２は、本発明の実施の形態におけるＩＰ電話ゲートウェイ装置１の概略構成を示すブロック図である。このＩＰ電話ゲートウェイ装置１は、ＩＰ電話ゲートウェイ装置１全体の制御を行なうＣＰＵ（Ｃｅｎｔｒａｌ  Ｐｒｏｃｅｓｓｉｎｇ  Ｕｎｉｔ）１１と、各種信号処理と音声信号の圧縮／伸長とを行なうＤＳＰ（Ｄｉｇｉｔａｌ  Ｓｉｇｎａｌ  Ｐｒｏｃｅｓｓｏｒ）１２と、音声信号のアナログ／デジタル変換を行なうＳＬＡＣ（Ｓｕｂｓｃｒｉｂｅｒ  Ｌｉｎｅ  Ａｕｄｉｏ  Ｃｉｒｃｕｉｔ）１３と、電話機３および４に対応して設けられるＳＬＩＣ（Ｓｕｂｓｃｒｉｂｅｒ  Ｌｉｎｅ  Ｉｎｔｅｒｆａｃｅ  Ｃｉｒｃｕｉｔ）１４および１５と、ＩＰ電話ゲートウェイ装置１が既存電話網に接続されているか否かを検出する既存電話網接続検出回路１６と、ＡＤＳＬのための物理層を制御するＰＨＹ部１７と、アナログ電話回線との接続のためのコネクタ（コネクタ形状の規格名：ＲＪ−１１）１８と、ＡＤＳＬ回線との接続のためのコネクタ（ＲＪ−１１）１９と、電話機３および４との接続のためのコネクタ（ＲＪ−１１）２０および２１とを含む。
【００２６】
ＳＬＩＣ１４および１５は、それぞれ電話機３および４のオフフックの検出処理、ループ閉成処理、リンガ信号の生成処理などを行なう。既存電話網接続検出回路１６は、既存電話網との接続インタフェースにおいて電流が流れているか否かを検出して、ＩＰ電話ゲートウェイ装置１が既存電話網に接続されているか否かを検出する。
【００２７】
図３は、本発明の実施の形態におけるＩＰ電話ゲートウェイ装置１の発信時における処理手順を説明するためのフローチャートである。まず、ＳＬＩＣ１４または１５は、電話機３または４がオフフック状態となったか否かを判定する（Ｓ１１）。電話機３または４がオフフック状態でなければ（Ｓ１１，Ｎｏ）、ステップＳ１１の処理を繰返す。
【００２８】
また、電話機３または４がオフフック状態であれば（Ｓ１１，Ｙｅｓ）、ＣＰＵ１１は既存電話網接続検出回路１６を制御して、ＩＰ電話ゲートウェイ装置１が既存電話網（ＰＳＴＮ網）に接続されているか否かを検出する（Ｓ１２）。このＰＳＴＮ接続検出処理の詳細は後述する。
【００２９】
次に、ＣＰＵ１１は、発信者によって入力された電話番号を検出し（Ｓ１３）、その電話番号によって接続する電話網がＩＰ電話網であるか、ＰＳＴＮ網であるかを判定する（Ｓ１４）。
【００３０】
接続する電話網がＩＰ電話網であれば（Ｓ１５，Ｎｏ）、ＩＰ電話発信処理を行ない（Ｓ１６）、ステップＳ１１に戻って以降の処理を繰返す。また、接続する電話網がＰＳＴＮ網であれば（Ｓ１５，Ｙｅｓ）、ＰＳＴＮ網との接続状態を確認する（Ｓ１７）。ＰＳＴＮ網との接続がある場合には（Ｓ１７，Ｙｅｓ）、ＰＳＴＮ電話発信処理を行なう（Ｓ１８）。
【００３１】
また、ＰＳＴＮ網に接続されていない場合には（Ｓ１７，Ｎｏ）、発信者によって入力された電話番号を用いてＩＰ電話発信処理を行なうか、終話処理を行なう（Ｓ１９）。このいずれの処理を行なうかは、発信者の設定に従う。また、終話処理として、たとえばＳＬＩＣ１４または１５が電話機３または４に対してビジー音を送出し、発信者に対してＰＳＴＮ網を経由した発信が行えないことを通知する。
【００３２】
図４は、図３のステップＳ１２に示すＰＳＴＮ接続検出処理の手順をさらに詳細に説明するためのフローチャートである。まず、ＣＰＵ１１は、ＳＬＩＣ１４または１５を制御して、ＰＳＴＮ回線を所定時間だけオフフック状態（ループ閉成状態）にする（Ｓ２１）。このオフフック状態にする時間は、ＰＳＴＮ交換機がオフフックとして検出できない程度の時間とし、たとえば１０〜２０ｍｓ程度とする。
【００３３】
次に、ＣＰＵ１１は２０ｍｓ程度待って、既存電話網接続検出回路１６に電流が流れているか否かを検出させることにより、ＩＰ電話ゲートウェイ装置１がＰＳＴＮ網に接続されているか否かを判定し、その判定結果が所定のレジスタに格納される。ＣＰＵ１１は、このレジスタの値を読出すことによって、ＰＳＴＮ網に接続されているか否かを検出する（Ｓ２３）。
【００３４】
ＰＳＴＮ網に接続されていれば（Ｓ２４，Ｙｅｓ）、ＣＰＵ１１はＰＳＴＮ網との接続状態を読出して、接続状態を判定する（Ｓ２５）。たとえば、ＰＳＴＮ網との接続を検出するときに、その検出結果を所定のレジスタに書込むことによって、現在のＰＳＴＮ網との接続状態を保持する。
【００３５】
接続状態が、ＰＳＴＮ網と接続されていることを示していれば（Ｓ２５，Ｙｅｓ）、そのままＰＳＴＮ接続検出処理が終了される。また、接続状態が、ＰＳＴＮ網と接続されていないことを示していれば（Ｓ２５，Ｎｏ）、ＣＰＵ１１は接続状態をＰＳＴＮ網と接続されていることを示す情報に書換えて（Ｓ２６）、ＰＳＴＮ接続検出処理が終了される。
【００３６】
また、ＰＳＴＮ網に接続されていなければ（Ｓ２４，Ｎｏ）、ＣＰＵ１１はＰＳＴＮ網との接続状態を読出して、接続状態を判定する（Ｓ２７）。接続状態が、ＰＳＴＮ網と接続されていることを示していれば（Ｓ２７，Ｙｅｓ）、ＣＰＵ１１は接続状態をＰＳＴＮ網と接続されていないことを示す情報に書換えて（Ｓ２８）、ＰＳＴＮ接続検出処理が終了される。また、接続状態が、ＰＳＴＮ網と接続されていないことを示していれば（Ｓ２７，Ｎｏ）、そのままＰＳＴＮ接続検出処理が終了される。
【００３７】
図５は、ＰＳＴＮ網との接続を定期的に監視するときの処理手順を説明するためのフローチャートである。まず、ＣＰＵ１１は、図示しないタイマに所定時間を設定して、タイマのカウントを開始させる（Ｓ３１）。タイマが所定時間になれば（Ｓ３２，Ｙｅｓ）、ＣＰＵ１１は、図４を用いて説明したＰＳＴＮ接続検出処理を行ない（Ｓ３３）、ステップＳ３１に戻って以降の処理を繰返す。
【００３８】
ＣＰＵ１１は、所定時間毎にＩＰ電話ゲートウェイ装置１がＰＳＴＮ網に接続されているか否かを検出することによって、たとえばＩＰ電話ゲートウェイ装置１に設けられたＬＥＤ（Ｌｉｇｈｔ  Ｅｍｉｔｔｉｎｇ  Ｄｅｖｉｃｅ）を点灯／消灯して、発信者に予め接続状態を知らせることができる。なお、音声合成などによって発信者に知らせるようにしてもよい。
【００３９】
以上説明したように、本実施の形態におけるＩＰ電話ゲートウェイ装置によれば、ＰＳＴＮ電話発信処理を行なう前に、ＩＰ電話ゲートウェイ装置がＰＳＴＮ網と接続されているか否かを判定し、接続されていない場合には発信者に対して、たとえばビジー音で知らせるようにしたので、発信者はＩＰ電話ゲートウェイ装置１がどのような状態になっているかを容易に判断することができ、操作性を向上させることが可能になった。
【００４０】
また、ＩＰ電話ゲートウェイ装置１がＰＳＴＮ電話網に接続されていない場合であっても、発信者の設定によって同じ電話番号を用いて自動的にＩＰ電話発信処理を行なうようにしたので、障害を自動的に回避することができ、操作性を向上させることが可能になった。
【００４１】
さらには、ＩＰ電話ゲートウェイ装置１がＰＳＴＮ網に接続されているか否かを所定時間毎に検出して発信者に通知するようにしたので、発信者は電話番号を入力する前にＰＳＴＮ網に接続されていないことを知ることができ、発信者の操作性を向上させることが可能となった。
【００４２】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
請求項１に記載のＩＰ電話ゲートウェイ装置によれば、通知手段が、電話機のオフフックを検出したときに、第１の判定手段によって既存電話網に接続すると判定され、第２の判定手段によって既存電話網に接続されていないと判定された場合には、発信者に既存電話網に接続されていないことを通知するので、発信者が、ＩＰ電話ゲートウェイ装置が既存電話網に接続されているか否かを容易に判断することが可能となった。
【００４４】
請求項２に記載のＩＰ電話ゲートウェイ装置によれば、通知手段が、ビジー音を送出することによってＩＰ電話ゲートウェイ装置が既存電話網に接続されているか否かを通知するので、発信者は、受話器からビジー音が聞こえれば、ＩＰ電話ゲートウェイ装置が既存電話網に接続されていないと判断することが可能となった。
【００４５】
請求項３に記載のＩＰ電話ゲートウェイ装置によれば、発信手段が、電話機のオフフックを検出したときに、第１の判定手段によって既存電話網に接続すると判定され、第２の判定手段によって既存電話網に接続されていないと判定された場合には、ＩＰ電話網に接続して発信を行なうので、発信者は、ＩＰ電話網を介して通話が行なえるようになり、発信者の操作性を向上させることが可能となった。
【００４６】
請求項４に記載のＩＰ電話ゲートウェイ装置によれば、第２の判定手段が、交換機がオフフックとして検出できない程度の時間だけループ閉成を行ない、電流が流れるか否かによってＩＰ電話ゲートウェイ装置が既存電話網に接続されているか否かを判定するので、交換機内において不具合が発生することを防止することが可能となった。
【００４７】
請求項５に記載のＩＰ電話ゲートウェイ装置によれば、第２の判定手段が、ＩＰ電話ゲートウェイ装置が既存電話網に接続されているか否かを所定時間毎に検出し、既存電話網に接続されていないと判定した場合には発信者に報知するので、発信者は、電話機をオフフックする前にＩＰ電話ゲートウェイ装置が既存電話網に接続されているか否かを判断することができ、発信者の操作性を向上させることが可能となった。
【００４８】
請求項６に記載のＩＰ電話ゲートウェイ装置の処理方法によれば、既存電話網に接続すると判定され、かつＩＰ電話ゲートウェイ装置が既存電話網に接続されていないと判定された場合には、発信者に既存電話網に接続されていないことを通知するので、発信者が、ＩＰ電話ゲートウェイ装置が既存電話網に接続されているか否かを容易に判断することが可能となった。
【００４９】
請求項７に記載のＩＰ電話ゲートウェイ装置の処理方法によれば、既存電話網に接続すると判定され、かつＩＰ電話ゲートウェイ装置が既存電話網に接続されていないと判定された場合には、ＩＰ電話網に接続して発信を行なうので、発信者は、ＩＰ電話網を介して通話が行なえるようになり、発信者の操作性を向上させることが可能となった。
【図面の簡単な説明】
【図１】本発明の実施の形態におけるＩＰ電話ゲートウェイ装置の接続例を示す図である。
【図２】本発明の実施の形態におけるＩＰ電話ゲートウェイ装置１の概略構成を示すブロック図である。
【図３】本発明の実施の形態におけるＩＰ電話ゲートウェイ装置１の発信時における処理手順を説明するためのフローチャートである。
【図４】図３のステップＳ１２に示すＰＳＴＮ接続検出処理の手順をさらに詳細に説明するためのフローチャートである。
【図５】ＰＳＴＮ電話網との接続を定期的に監視するときの処理手順を説明するためのフローチャートである。
【符号の説明】
１  ＩＰ電話ゲートウェイ装置、２  スプリッタ、３，４  電話機、１１  ＣＰＵ、１２  ＤＳＰ、１３  ＳＬＡＣ、１４，１５  ＳＬＩＣ、１６  既存電話網接続検出回路、１７  ＰＨＹ部、１８〜２１  コネクタ。
【図１】
2004193748.tif 000003
【図２】
2004193748.tif 000004
【図３】
2004193748.tif 000005
【図４】
2004193748.tif 000006
【図５】
2004193748.tif 000007